(57)【要約】【課題】耐水圧性に優れ、さらに水路の側壁への取り付け作業が簡単な角落しの構造を提供する。【解決手段】水路を止水する角落し１として、水路の両側壁Ｗに取り付けられる一対の第１角落し２と、各一端同士が鉛直方向の軸回りに回動可能に連結され、各他端がそれぞれ一対の第１角落し２に鉛直方向の軸回りに回動可能に連結され、角外縁４が水路の上流側に位置するように設置される平面視略Ｌ字形状の一対の第２角落し３と、を備える。水路の両側壁Ｗには上流側溝面１０および下流側溝面１１を有する平面視矩形状の縦溝部１２が形成され、下流側溝面１１と第１角落し２との間に両者の間隔を調整する間隔調整部材１３が設けられ、間隔調整部材１３により第１角落し２が上流側溝面１０に押し付けられるように固定される。【選択図】図１
2015014122.tif 000002
【特許請求の範囲】
【請求項１】
水路を止水する角落しの構造であって、
水路の両側壁に取り付けられる一対の第１角落しと、
各一端同士が鉛直方向の軸回りに回動可能に連結され、各他端がそれぞれ前記一対の第１角落しに鉛直方向の軸回りに回動可能に連結され、角外縁が水路の上流側に位置するように設置される平面視略Ｌ字形状の一対の第２角落しと、
を備えることを特徴とする角落しの構造。
【請求項２】
水路の両側壁には上流側溝面および下流側溝面を有する平面視矩形状の縦溝部が形成され、
上流側溝面および下流側溝面の内の一方の溝面と前記第１角落しとの間に両者の間隔を調整する間隔調整部材が設けられ、
前記間隔調整部材により前記第１角落しが上流側溝面および下流側溝面の内の他方の溝面に押し付けられるように固定されることを特徴とする請求項１に記載の角落しの構造。
【請求項３】
前記間隔調整部材は、ボルト頭が前記一方の溝面に当接するように前記第１角落しに螺合された調整ボルトであることを特徴とする請求項２に記載の角落しの構造。
【発明の詳細な説明】
【技術分野】
【０００１】
本発明は、水路を止水する角落しの構造に関する。
【背景技術】
【０００２】
下水路や上水路、灌漑用水路等において、例えばゲートの交換または新規な据付けの施工を行う場合、通常、水路全体の水を止めないで施工を行う不断水工法が用いられる。不断水工法としては、止水壁として角落しを用いる方法が一般的である。角落しの従来例としては例えば特許文献１に記載のものが挙げられる。特許文献１には、いずれも平面視一直線形状を呈した複数の角落しを互いに回動自在に連結した構成が記載されている。
【先行技術文献】
【特許文献】
【０００３】
【特許文献１】特開２００１−２２６９４５号公報
【発明の概要】
【発明が解決しようとする課題】
【０００４】
しかしながら特許文献１に記載の角落しの構造では、角落しが平面視一直線形状を呈していることから、水流方向に対して大きく傾斜するように配置された場合の耐水圧性を確保するために、角落しの厚みを大きく設定したり補強部材を設ける等の措置が必要になることがある。
【０００５】
本発明は、厚みや補強部材等に依ることなく耐水圧性を確保でき、さらに水路の側壁への取り付け作業が簡単な角落しの構造を提供することを目的としている。
【課題を解決するための手段】
【０００６】
前記課題を解決するため、本発明は、水路を止水する角落しの構造であって、水路の両側壁に取り付けられる一対の第１角落しと、各一端同士が鉛直方向の軸回りに回動可能に連結され、各他端がそれぞれ前記一対の第１角落しに鉛直方向の軸回りに回動可能に連結され、角外縁が水路の上流側に位置するように設置される平面視略Ｌ字形状の一対の第２角落しと、を備えることを特徴とする。
【０００７】
この角落しの構造によれば、平面視略Ｌ字形状の第２角落しがその角外縁を水路の上流側に位置するように設置されるため、一直線形状の角落しに比して耐水圧性に優れる。
【０００８】
また本発明は、水路の両側壁には上流側溝面および下流側溝面を有する平面視矩形状の縦溝部が形成され、上流側溝面および下流側溝面の内の一方の溝面と前記第１角落しとの間に両者の間隔を調整する間隔調整部材が設けられ、前記間隔調整部材により前記第１角落しが上流側溝面および下流側溝面の内の他方の溝面に押し付けられるように固定されることを特徴とする。
【０００９】
この角落しの構造によれば、水路の側壁と角落しとの間の止水性を確保しつつ、水路の側壁に対する角落としの取り付け作業を簡単に行うことができる。
【００１０】
また本発明は、前記間隔調整部材は、ボルト頭が前記一方の溝面に当接するように前記第１角落しに螺合された調整ボルトであることを特徴とする。
【００１１】
この角落しの構造によれば、間隔調整部材を安価なボルトにより構成でき、間隔調整の作業もボルト頭を回すだけの簡単な操作で済む。
【発明の効果】
【００１２】
本発明によれば、厚みや補強部材等に依ることなく角落しの耐水圧性を確保でき、さらに水路の側壁に対する角落としの取り付け作業を簡単に行える。
【図面の簡単な説明】
【００１３】
【図１】本発明に係る角落しの平面図である。
【図２】本発明に係る角落しを水路上流側から見た正面図（止水シートは省略）である。
【図３】第２角落し同士の連結部および第１角落しと第２角落しとの連結部を示す斜視図である。
【図４】水路幅の異なる水路に本発明に係る角落しを設置した場合の平面図である。
【発明を実施するための形態】
【００１４】
図１において、角落し１は水路の左右の側壁Ｗにわたって取り付けられる。角落し１は、水路の両側壁Ｗに取り付けられる一対の第１角落し２と、各一端同士が鉛直方向の軸回りに回動可能に連結され、各他端がそれぞれ一対の第１角落し２に鉛直方向の軸回りに回動可能に連結され、角外縁４が水路の上流側に位置するように設置される平面視略Ｌ字形状の一対の第２角落し３と、を備えて構成される。
【００１５】
第１角落し２および第２角落し３はいずれも、合成樹脂材や金属材、木材またはこれらの複合材等からなり、鉛直板状の部材として構成されている。図２では、一対の第１角落し２および一対の第２角落し３からなる４個一組の角落し１を縦方向に６段積み重ねた態様を示している。
【００１６】
第２角落し３同士の連結構造および第１角落し２と第２角落し３との連結構造としては公知のヒンジ機構が用いられる。図３に示すように、第１角落し２または第２角落し３の連結部の一方には、鉛直方向に貫通する軸孔５を有したヒンジ部６が突設され、他方には鉛直方向に貫通する軸孔５を有し前記ヒンジ部６を上下に挟む一対のヒンジ部７が突設されている。軸孔５にはピン８が挿嵌される。これにより第２角落し３同士および第１角落し２と第２角落し３とがピン８を中心に回動自在に連結される。第１角落し２および第２角落し３の全体の上流側に対向する面側には、止水シート９が適宜に貼着される。
【００１７】
図１に示すように、水路の側壁Ｗには、上流側溝面１０および下流側溝面１１を有する平面視矩形状の縦溝部１２が形成されている。本実施形態の第１角落し２は、第２角落し３と同様に平面視略Ｌ字形状に形成されており、その一辺部２Ａが水路幅方向に沿うように縦溝部１２に挿入される。第１角落し２の他辺部２Ｂは上流側に突出するように配置される。下流側溝面１１と第１角落し２の一辺部２Ａとの間には、下流側溝面１１と第１角落し２の一辺部２Ａとの間隔を調整する間隔調整部材１３が設けられる。そして、上流側溝面１０と第１角落し２の一辺部２Ａとの間には止水調整板１４が設けられる。止水調整板１４は例えばＳＵＳ材から構成される。なお、止水調整板１４を下流側溝面１１と一辺部２Ａとの間に設け、間隔調整部材１３を上流側溝面１０と一辺部２Ａとの間に設けてもよい。
【００１８】
間隔調整部材１３は、例えばボルト頭が下流側溝面１１に当接するように第１角落し２の一辺部２Ａに螺合された調整ボルトからなる。符合１５はこの調整ボルトを第１角落し２に締め付けるためのナットである。
【００１９】
「作用」
角落し１は、第２角落し３同士および第１角落し２と第２角落し３とが全て予め連結された状態で水路に設置される。角落し１は、第２角落し３の角外縁４が水路の上流側に位置するように設置され、その際、第２角落し３同士および第１角落し２と第２角落し３とは図１や図４（ａ），（ｂ）に示すように設置する水路の幅に合わせてピン８周りに適宜に回動する。そして、作業者は、スパナ等の工具を用いて間隔調整部材１３のボルト頭を弛めてナット１５を締め付けることにより、第１角落し２を、調整止水板１４を挟んで上流側溝面１０に押し付けて固定する。
【００２０】
本発明によれば、第２角落し３の角外縁４が水路の上流側に位置するように設置されることにより、水圧に対する角落し１の強度を厚みや補強部材等に依ることなく上げることができる。
また、縦溝部１２の上流側溝面１０および下流側溝面１１の内の一方の溝面と第１角落し２との間に両者の間隔を調整する間隔調整部材１３を設け、この間隔調整部材１３により第１角落し２を上流側溝面１０および下流側溝面１１の内の他方の溝面に押し付けるように固定する構造とすれば、水路の側壁Ｗと角落し１との間の止水性を確保しつつ、水路の側壁Ｗに対する角落とし１の取り付け作業を簡単に行うことができる。
さらに、間隔調整部材１３を、ボルト頭が縦溝部１２の上流側溝面１０および下流側溝面１１の内の一方の溝面に当接するように第１角落し２に螺合された調整ボルトとすれば、間隔調整部材１３を安価なボルトにより構成でき、間隔調整の作業もボルト頭を回すだけの簡単な操作で済む。
【００２１】
以上、本発明の好適な実施形態を説明したが、本発明は図面に記載したものに限定されることなく、その趣旨を逸脱しない範囲で様々な設計変更が可能である。
【符号の説明】
【００２２】
１      角落し
２      第１角落し
３      第２角落し
４      角外縁
１０      上流側溝面
１１      下流側溝面
１２      縦溝部
１３      間隔調整部材（調整ボルト）
１４      止水調整板
Ｗ      水路の側壁
【図１】
2015014122.tif 000003
【図２】
2015014122.tif 000004
【図３】
2015014122.tif 000005
【図４】
2015014122.tif 000006